(57)【要約】【課題】ユーザが入眠しやすい環境を提供すること。【解決手段】ＣＯ２濃度調整装置１は、ＣＯ２を室内に排出するＣＯ２排出装置１２と、ＣＯ２排出装置１２によるＣＯ２の排出を制御する制御装置１０と、を備え、制御装置１０は、予め取得しているユーザの目標就寝時刻Ｓｔの所定時間前にＣＯ２が排出されるように、ＣＯ２排出装置１２を制御する。【選択図】図１
2020159672.tif 000002
【特許請求の範囲】
【請求項１】
ＣＯ２をユーザが存在する部屋に排出するＣＯ２排出装置と、
前記ＣＯ２排出装置によるＣＯ２の排出を制御する制御装置と、を備え、
前記制御装置は、予め取得しているユーザの目標就寝時刻の所定時間前にＣＯ２が排出されるように、前記ＣＯ２排出装置を制御する、ＣＯ２濃度調整装置。
【請求項２】
前記制御装置は、予め取得しているユーザの年齢に基づいてＣＯ２の排出量を決定し、決定した排出量でＣＯ２が排出されるように、前記ＣＯ２排出装置を制御する、請求項１記載のＣＯ２濃度調整装置。
【請求項３】
前記制御装置は、前記部屋に存在するユーザの人数に基づいて呼吸量を計算し、該呼吸量を考慮してＣＯ２の排出量を決定し、決定した排出量でＣＯ２が排出されるように、前記ＣＯ２排出装置を制御する、請求項１又は２記載のＣＯ２濃度調整装置。
【請求項４】
前記制御装置は、前記部屋に存在するユーザの体型、性別、及び年齢の少なくとも一つに基づいて呼吸量を計算し、該呼吸量を考慮してＣＯ２の排出量を決定し、決定した排出量でＣＯ２が排出されるように、前記ＣＯ２排出装置を制御する、請求項１〜３のいずれか一項記載のＣＯ２濃度調整装置。
【請求項５】
前記部屋のＣＯ２濃度を検出するＣＯ２センサを更に備え、
前記制御装置は、前記目標就寝時刻よりも前の時間帯において、前記ＣＯ２センサにより検出された前記部屋のＣＯ２濃度が所定の目標値に到達した場合には、ＣＯ２の排出が停止されるように前記ＣＯ２排出装置を制御する、請求項１〜４のいずれか一項記載のＣＯ２濃度調整装置。
【請求項６】
前記部屋のＣＯ２濃度を低下させる濃度低下促進装置を更に備え、
前記制御装置は、前記目標就寝時刻よりも前の時間帯において、前記ＣＯ２センサにより検出された前記部屋のＣＯ２濃度が前記目標値よりも高い就寝前上限濃度に到達した場合には、前記部屋のＣＯ２濃度が低下するように前記濃度低下促進装置を制御する、請求項５記載のＣＯ２濃度調整装置。
【請求項７】
前記制御装置は、前記目標就寝時刻よりも後の時間帯において、前記ＣＯ２センサにより検出された前記部屋のＣＯ２濃度が前記目標値よりも低い就寝時上限濃度に到達した場合には、前記部屋のＣＯ２濃度が低下するように前記濃度低下促進装置を制御する、請求項６記載のＣＯ２濃度調整装置。
【請求項８】
前記濃度低下促進装置は、前記部屋の換気を行う換気装置、又は、前記部屋のＣＯ２を回収するＣＯ２回収装置である、請求項６又は７記載のＣＯ２濃度調整装置。
【請求項９】
ユーザの入眠を検知するユーザ状態センサと、
前記ユーザ状態センサによって検知されたユーザの入眠時刻を学習することにより前記目標就寝時刻を導出し、導出した前記目標就寝時刻を前記制御装置に通知する学習装置と、を更に備える請求項１〜８のいずれか一項記載のＣＯ２濃度調整装置。
【発明の詳細な説明】
【技術分野】
【０００１】
本発明は、ＣＯ２濃度調整装置に関する。
【背景技術】
【０００２】
特許文献１には、ユーザの起床時間前後の時間帯において、強制換気を行うことによってＣＯ２濃度を外気レベルに低下させ、ユーザに爽快な目覚めを提供するＣＯ２濃度調整装置が開示されている。
【先行技術文献】
【特許文献】
【０００３】
【特許文献１】特開２０００−１８６８４０号公報
【発明の概要】
【発明が解決しようとする課題】
【０００４】
ここで、特許文献１に記載されたＣＯ２濃度調整装置は、ユーザを爽快に目覚めさせることに主眼を置いているが、例えばユーザが入眠しやすい環境を提供することについては着目していない。
【０００５】
本発明は上記実情に鑑みてなされたものであり、ユーザが入眠しやすい環境を提供するＣＯ２濃度調整装置に関する。
【課題を解決するための手段】
【０００６】
本発明の一態様に係るＣＯ２濃度調整装置は、ＣＯ２をユーザが存在する部屋に排出するＣＯ２排出装置と、ＣＯ２排出装置によるＣＯ２の排出を制御する制御装置と、を備え、制御装置は、予め取得しているユーザの目標就寝時刻の所定時間前にＣＯ２が排出されるように、ＣＯ２排出装置を制御する。
【０００７】
本発明の一態様に係るＣＯ２濃度調整装置では、制御装置が、目標就寝時刻の所定時間前にＣＯ２が排出されるようにＣＯ２排出装置を制御する。これにより、目標就寝時刻よりも前において部屋のＣＯ２濃度を上昇させることができる。ＣＯ２濃度が上昇することによって、ユーザは入眠しやすくなる。以上より、本発明の一態様に係るＣＯ２濃度調整装置によれば、ユーザが入眠しやすい環境を提供することができる。
【発明の効果】
【０００８】
本発明によれば、ユーザが入眠しやすい環境を提供することができる。
【図面の簡単な説明】
【０００９】
【図１】本実施形態に係るＣＯ２濃度調整装置の基本構成を示す図である。
【図２】図１のＣＯ２濃度調整装置に含まれる制御装置の機能構成を示すブロック図である。
【図３】目標濃度と年齢との関係を示す図である。
【図４】本実施形態に係るＣＯ２濃度調整装置が行う処理を示すシーケンス図である。
【図５】第１の変形例に係るＣＯ２濃度調整装置の基本構成を示す図である。
【図６】第１の変形例に係るＣＯ２濃度調整装置が行う処理を示すシーケンス図である。
【図７】第２の変形例に係るＣＯ２濃度調整装置の基本構成を示す図である。
【図８】第２の変形例に係るＣＯ２濃度調整装置が行う処理を示すシーケンス図である。
【図９】ＣＯ２濃度調整装置に含まれる制御装置のハードウェア構成を示す図である。
【発明を実施するための形態】
【００１０】
以下、添付図面を参照しながら本発明の実施形態を詳細に説明する。図面の説明において、同一又は同等の要素には同一符号を用い、重複する説明を省略する。
【００１１】
図１は、本実施形態に係るＣＯ２濃度調整装置１の基本構成を示す図である。本実施形態に係るＣＯ２濃度調整装置１は、ユーザの就寝（入眠）時刻及び起床時刻に基づいて、自動的に室内（部屋）のＣＯ２濃度を調整（制御）する装置である。ＣＯ２濃度調整装置１は、室内の壁に設置される壁設置型の装置である。なお、「壁に設置される」とは、ＣＯ２濃度調整装置１の各構成の全てが壁に設置されている場合だけでなく、その一部の構成のみが壁に設置されている場合を含んでいてもよい。図１に示されるように、ＣＯ２濃度調整装置１は、制御装置１０と、ＣＯ２貯蓄装置１１と、ＣＯ２排出装置１２と、入力装置１３と、ＣＯ２センサ１４と、換気装置１５（濃度低下促進装置）と、を備えている。
【００１２】
ＣＯ２貯蓄装置１１は、ＣＯ２を貯蓄する装置である。ＣＯ２貯蓄装置１１によって貯蓄されるＣＯ２は、ＣＯ２ボンベ又はドライアイス等によって外部供給されてもよいし、別途設けられるＣＯ２回収装置（図１においては不図示。後述）によって室内外から回収されてもよい。ＣＯ２貯蓄装置１１の貯蓄容量は、ユーザに健康被害が出ないように部屋の容積に対して上限が定められていてもよい。ＣＯ２貯蓄装置１１は、制御装置１０からの要求に応じて制御装置１０にＣＯ２貯蓄量を通知する。また、ＣＯ２貯蓄装置１１に貯蓄されたＣＯ２は、ＣＯ２排出装置１２によって排出状態及び排出停止状態が切り替えられる。
【００１３】
ＣＯ２排出装置１２は、ＣＯ２貯蓄装置１１に貯蓄されたＣＯ２を、ユーザが存在する室内に排出する装置である。ＣＯ２排出装置１２は、ＣＯ２が局所的に高濃度とならないように、室内全体の空気の対流を行う機能を有していてもよい。ＣＯ２排出装置１２は、熱交換機能を有していてもよい。この場合、ＣＯ２排出装置１２は、ＣＯ２の排出と共に入眠に適した温度に調整を行う。ＣＯ２排出装置１２は、ＣＯ２の排出と共に睡眠導入に適した物質（例えばアロマ等）を排出してもよい。ＣＯ２排出装置１２は、制御装置１０の制御に応じてＣＯ２貯蓄装置１１に対してＣＯ２排出要求を行い、ＣＯ２の排出を開始する。また、ＣＯ２排出装置１２は、制御装置１０の制御に応じてＣＯ２貯蓄装置１１に対してＣＯ２排出停止要求を行い、ＣＯ２の排出を停止する。
【００１４】
入力装置１３は、ユーザから各種入力を受付ける装置である。入力装置１３は、例えばＣＯ２濃度調整装置１の初期設定に関する入力（ユーザの手動入力）を受付ける。初期設定に関する入力とは、例えば、使用ユーザの情報、デフォルト時刻の情報、及び室内の広さの情報に関する入力である。使用ユーザの情報とは、例えば使用ユーザの身長Ｈｉ、体重Ｗｉ，年齢、及び性別である。使用ユーザの情報は、例えば室内にユーザが複数いる場合には、ユーザ毎に設定される。デフォルト時刻の情報とは、例えば目標就寝時刻Ｓｔ、目標起床時刻Ｗｔ、及び起動から目標濃度ｃ１に達するまでに要する時間ｎ１である。起動から目標濃度ｃ１に達するまでに要する時間ｎ１とは、ＣＯ２の排出に係る処理を開始してからＣＯ２濃度が目標濃度ｃ１に達するまでに要する時間である。室内の広さの情報とは、ＣＯ２濃度調整装置１が設置されると共にユーザが存在する室内の広さＬ［ｍ３］の情報である。入力装置１３は、初期設定に関する入力の内容を制御装置１０に送信する。制御装置１０は、初期設定に関する入力の内容を記憶する。入力装置１３は、初期設定に関する入力を受付けた後において、適宜、上述した各種の情報（目標就寝時刻Ｓｔ、目標起床時刻Ｗｔ、目標濃度に達するまでに要する時間ｎ１等）の入力を受付けてもよい。入力装置１３は、受け付けた最新の情報を制御装置１０に送信する。
【００１５】
入力装置１３は、ＣＯ２排出装置１２及び換気装置１５等に関する手動操作の入力をユーザから受け付けてもよい。手動操作に応じた動作は、後述する制御装置１０による自動的な動作よりも優先して実行される。ただし、例えば室内のＣＯ２濃度が上限濃度を超えるような手動操作がされた場合には、自動的な動作が優先して実行される。
【００１６】
ＣＯ２センサ１４は、室内のＣＯ２濃度を検出するセンサである。ＣＯ２センサ１４は、室内のＣＯ２濃度を連続的に検出し、検出したＣＯ２濃度が所定値に達した場合に、その旨を制御装置１０に通知する。具体的には、ＣＯ２センサ１４は、目標就寝時刻Ｓｔとなる前においてＣＯ２濃度が所定の目標濃度ｃ１（目標値）に到達した場合に、その旨を制御装置１０に通知する。目標濃度ｃ１は、目標就寝時刻ＳｔにおけるＣＯ２濃度の目標値であり、ユーザが入眠しやすいＣＯ２濃度（例えば２０００ｐｐｍ前後）である。また、ＣＯ２センサ１４は、目標就寝時刻Ｓｔとなる前においてＣＯ２濃度が所定の上限濃度ｃ２（就寝前上限濃度）に到達した場合に、その旨を制御装置１０に通知する。上限濃度ｃ２は、目標濃度ｃ１よりも高いＣＯ２濃度であって、目標就寝時刻Ｓｔとなる前のＣＯ２濃度の上限値として設定されるＣＯ２濃度（例えば２５００ｐｐｍ）である。また、ＣＯ２センサ１４は、目標就寝時刻Ｓｔとなる前においてＣＯ２濃度が所定の下限濃度ｃ３に到達した場合に、その旨を制御装置１０に通知する。下限濃度ｃ３は、目標濃度ｃ１よりも低いＣＯ２濃度であって、目標就寝時刻Ｓｔとなる前のＣＯ２濃度の下限値として設定されるＣＯ２濃度（例えば１５００ｐｐｍ）である。
【００１７】
また、ＣＯ２センサ１４は、目標就寝時刻Ｓｔとなった後且つ目標起床時刻Ｗｔとなる前（すなわち就寝時）においてＣＯ２濃度が所定の換気濃度ｃ４（就寝時上限濃度）に到達した場合に、その旨を制御装置１０に通知する。換気濃度ｃ４は、下限濃度ｃ３よりも低いＣＯ２濃度であって、目標就寝時刻Ｓｔとなった後且つ目標起床時刻Ｗｔとなる前（すなわち就寝時）の上限値として設定されるＣＯ２濃度（例えば１０００ｐｐｍ）である。また、ＣＯ２センサ１４は、目標就寝時刻Ｓｔとなった後且つ目標起床時刻Ｗｔとなる前（すなわち就寝時）においてＣＯ２濃度が所定の外気濃度ｃ５に到達した場合に、その旨を制御装置１０に通知する。外気濃度ｃ５は、換気濃度ｃ４よりも低いＣＯ２濃度であって、目標就寝時刻Ｓｔとなった後且つ目標起床時刻Ｗｔとなる前（すなわち就寝時）の下限値として設定されるＣＯ２濃度（例えば４５０ｐｐｍ）である。
【００１８】
なお、ＣＯ２センサ１４は、ＣＯ２濃度が所定の濃度ｃ６に到達した場合、及び所定の濃度ｃ７に到達した場合に、その旨を制御装置１０に通知してもよい。濃度ｃ６は、上限濃度ｃ２よりも高いＣＯ２濃度（例えば３５００ｐｐｍ）である。濃度ｃ７は、濃度ｃ６よりも高いＣＯ２濃度（例えば４０００ｐｐｍ）である。このような場合のＣＯ２センサ１４から制御装置１０への通知は、ＣＯ２濃度が異常な状態となっていることを知らせる異常状態通知である。制御装置１０は、濃度ｃ６に到達した旨の通知を受けると、換気装置１５を強制的に動作させて室内のＣＯ２濃度を低下させてもよい。また、制御装置１０は、濃度ｃ７に到達した旨の通知を受けると、アラーム等を発出し室内のユーザに危険を通知することが望ましい。
【００１９】
換気装置１５は、室内の換気を行うことにより室内のＣＯ２濃度を低下させる濃度低下促進装置である。換気装置１５は、制御装置１０の制御に応じて室内の換気を開始すると共に、制御装置１０の制御に応じて室内の換気を停止する。なお、換気装置１５は、室内の汚れた空気を屋外に排出すると共に新鮮な外気を導入する機能を有していてもよいし、熱交換機能を有していてもよい。
【００２０】
制御装置１０は、ＣＯ２排出装置１２によるＣＯ２の排出を制御する。以下、制御装置１０の機能について、図２も参照しながら説明する。
【００２１】
図２は、図１のＣＯ２濃度調整装置１に含まれる制御装置１０の機能構成を示すブロック図である。図２に示されるように、制御装置１０は、入力部１０１と、制御部１０２と、記憶部１０３とを有している。
【００２２】
入力部１０１は、入力装置１３から送信される情報の入力を受ける機能である。すなわち、入力部１０１は、入力装置１３より、ユーザによって入力された各種情報を受ける。具体的には、入力部１０１は、使用ユーザの身長Ｈｉ、体重Ｗｉ，年齢、性別、目標就寝時刻Ｓｔ、目標起床時刻Ｗｔ、起動から目標濃度ｃ１に達するまでに要する時間ｎ１、及び室内の広さＬ［ｍ３］等の情報を取得する。入力部１０１は、これらの情報を初期設定から取得してもよいし、これらの情報の一部を、初期設定後（例えばＣＯ２の排出制御を開始するタイミング）においてユーザから入力装置１３に入力される情報に基づいて取得してもよい。入力部１０１は、取得した情報を記憶部１０３に格納する。
【００２３】
記憶部１０３は、入力部１０１が受け付けた情報を記憶する機能である。すなわち、記憶部１０３は、最初に、ＣＯ２濃度調整装置１の初期設定に関する入力を記憶する。また、記憶部１０３は、初期設定後においてユーザから入力装置１３に新たな情報が入力された場合には、元の情報を新たな情報に書き換えて記憶する。すなわち、例えば記憶部１０３は、当初、初期設定時に設定された目標就寝時刻Ｓｔ，目標起床時刻Ｗｔ、及び起動から目標濃度ｃ１に達するまでの時間ｎ１を記憶している場合において、例えばＣＯ２の排出制御が開始されるタイミングにおいてユーザから入力装置１３に新たな目標就寝時刻Ｓｔ，目標起床時刻Ｗｔ、及び起動から目標濃度ｃ１に達するまでの時間ｎ１が入力された場合には、元の目標就寝時刻Ｓｔ，目標起床時刻Ｗｔ、及び起動から目標濃度ｃ１に達するまでの時間ｎ１に替えて、新たな目標就寝時刻Ｓｔ，目標起床時刻Ｗｔ、及び起動から目標濃度ｃ１に達するまでの時間ｎ１を記憶する。
【００２４】
制御部１０２は、記憶部１０３に記憶されている情報及びＣＯ２センサ１４から取得した情報に基づいて、ＣＯ２排出装置１２によるＣＯ２の排出（ＣＯ２濃度の上昇促進）を制御すると共に、換気装置１５によるＣＯ２濃度の低下促進を制御する。
【００２５】
制御部１０２は、記憶部１０３に記憶されている目標就寝時刻Ｓｔ（予め取得しているユーザの目標就寝時刻Ｓｔ）の所定時間前に、ＣＯ２貯蓄装置１１に貯蓄されたＣＯ２が排出されるように、ＣＯ２排出装置１２を制御する。
【００２６】
具体的には、制御部１０２は、記憶部１０３を参照し、目標就寝時刻Ｓｔと、起動から目標濃度ｃ１に達するまでの時間ｎ１とを取得する。時間ｎ１は、上述したように、ＣＯ２の排出に係る処理を開始してからＣＯ２濃度が目標濃度ｃ１に達するまでに要する時間であり、後述するＣＯ２貯蓄量問合せ処理、及び、ＣＯ２排出量算出処理が行われた後にＣＯ２の排出が開始されてＣＯ２濃度が目標濃度ｃ１に達するまでに要するトータルの時間である。ＣＯ２貯蓄量問合せ処理では、制御部１０２は、ＣＯ２貯蓄装置１１に現在のＣＯ２貯蓄量を問い合わせる（貯蓄量の通知を要求する）。制御部１０２は、ＣＯ２貯蓄装置１１から通知されたＣＯ２の貯蓄量が、ＣＯ２の排出が可能な量として設定された閾値よりも大きい場合には、ＣＯ２排出量算出処理を行う。なお、制御部１０２は、ＣＯ２の貯蓄量が上記閾値よりも小さい場合には、その旨を出力モニタ（不図示）等を介してユーザに通知し、ＣＯ２の排出を中止する。
【００２７】
制御部１０２は、ＣＯ２排出量算出処理では、記憶部１０３に記憶されている（予め取得している）各種の情報に基づいてＣＯ２の排出量を決定してもよい。具体的には、制御部１０２は、ユーザの年齢に基づいてＣＯ２の排出量を決定してもよい。また制御部１０２は、室内に存在するユーザの人数に基づいて呼吸量を計算し、該呼吸量を考慮してＣＯ２の排出量を決定してもよい。また、制御部１０２は、室内に存在するユーザの体型（身長Ｈｉ、体重Ｗｉ）、性別、及び年齢の少なくとも一つに基づいて呼吸量を計算し、該呼吸量を考慮してＣＯ２の排出量を決定してもよい。具体的には、制御部１０２は、以下の（１）式に基づいてＣＯ２の排出量を決定する。
【数１】
2020159672.tif 000003
【００２８】
上記（１）式において、ＴＣＯ２［ｌ／ｍ］は１分当たりのＣＯ２の排出量、Ｌ［ｍ３］は部屋の広さ、ｃ１［ｐｐｍ］は目標濃度、ｃ０［ｐｐｍ］は排出開始前の室内のＣＯ２濃度、１０は単位換算用の定数、ｎは室内に存在する人数、ＴＨｉ［ｌ／ｍ］は１分当たりに一人のユーザが呼吸によって排出するＣＯ２の量（呼吸量）、Ｖ［ｌ／ｍ］は１分当たりに窓等の換気によって室外へ放出されるＣＯ２の量、ｎ１［ｍｉｎ］は起動から目標濃度ｃ１に達するまでの時間である。部屋の広さＬ［ｍ３］及び室内に存在する人数ｎは、記憶部１０３に記憶されている情報から取得される。排出開始前の室内のＣＯ２濃度ｃ０［ｐｐｍ］はＣＯ２センサ１４から取得される。窓等の換気によって室外へ放出されるＣＯ２の量Ｖ［ｌ／ｍ］は、窓の開閉センサ（不図示）又は入力装置１３を介した手動入力によって取得される。
【００２９】
目標濃度ｃ１は、以下の（２）式に基づいて導出される。
【数２】
2020159672.tif 000004
【００３０】
上記（２）式において、ＣＭは例えば３０００ｐｐｍのような濃度を示す定数であり、Ｃｍは例えばＣＭより小さい２０００ｐｐｍのような濃度を示す定数である。ａｇｅはユーザの年齢である。ユーザの年齢ａｇｅは記憶部１０３に記憶されている情報から取得される。図３は、ＣＭ＝３０００ｐｐｍ、Ｃｍ＝２０００ｐｐｍとした場合の、目標濃度ｃ１と年齢との関係を示している。図３に示されるように、目標濃度ｃ１は、年齢に依存した二次関数で表され、４０歳の時最も低くなり、低年齢又は高年齢になるほど高くなる。このような二次関数は、年齢と入眠潜時に由来し、入眠に時間がかかる人ほど、高いＣＯ２濃度を設定する必要があるという予測に基づく。年齢と入眠潜時との関係性は年齢の二次関数で表されることが知られている。なお、ユーザの年齢ａｇｅは最大８０として、ａｇｅ＞８０のときはａｇｅ＝８０として計算してもよい。
【００３１】
なお、目標濃度ｃ１を導出するに際して、室内に複数のユーザがいる場合には、睡眠状態ではない（起きている）ユーザに対応する目標濃度ｃ１のうち、最大値を最終的な目標濃度ｃ１に設定してもよい。すなわち、例えば８０歳で目標濃度ｃ１が３０００ｐｐｍのＡさんと、４０歳で目標濃度ｃ１が２０００ｐｐｍのＢさんとが同じ室内にいる場合を考える。この場合、各ユーザの状態に応じて、目標濃度ｃ１は次のように設定される。すなわち、どちらも起きている場合には目標濃度ｃ１はＡさんの目標濃度ｃ１である３０００ｐｐｍとされ、Ａさんが寝てＢさんが起きている場合には目標濃度ｃ１はＢさんの目標濃度ｃ１である２０００ｐｐｍとされ、Ａさんが起きてＢさんが寝ている場合には目標濃度ｃ１はＡさんの３０００ｐｐｍとされる。なお、どちらも寝ている場合には、室内のＣＯ２濃度が下がる方向に制御される（詳細は後述）ため、上記（２）式によっては目標濃度ｃ１は導出されない。どのユーザが起きているのかの情報については例えば入力装置１３を介した手動入力によって取得されてもよいし、バイタルセンサ（本実施形態においては不図示）から取得されてもよい。
【００３２】
１分当たりに一人のユーザが呼吸によって排出するＣＯ２の量（呼吸量）ＴＨｉ［ｌ／ｍ］は、以下の（３）式に基づいて導出される。
【数３】
2020159672.tif 000005
【００３３】
上記（３）式によって１分当たりに一人のユーザが呼吸によって排出するＣＯ２の量（呼吸量）を求め、上記（１）式に規定されているようにｎ人分の呼吸量の総和を求めることにより、１分あたりに全ユーザの呼吸量によって増加するＣＯ２の量を求めることができる。上記（３）式において、体重Ｗｉ［ｋｇ］はユーザの体重、Ｈｉ［ｃｍ］はユーザの身長、Ｃａｉは年齢及び性別に応じて決まる係数である。ユーザの体重Ｗｉ［ｋｇ］、身長Ｈｉ［ｃｍ］、及びＣａｉは、記憶部１０３に記憶されている情報から取得される。なお、呼吸量ＴＨｉ［ｌ／ｍ］は、ユーザの体型、性別、及び年齢の全てを考慮して導出されるものでなくてもよく、この中の少なくとも一つに基づいて導出されるものであってもよい。
【００３４】
制御部１０２は、例えば上記（１）〜（３）式を用いて決定したＣＯ２の排出量で、ＣＯ２貯蓄装置１１に貯蓄されたＣＯ２の排出が開始されるように、ＣＯ２排出装置１２を制御する。
【００３５】
制御部１０２は、目標就寝時刻Ｓｔよりも前の時間帯（且つＣＯ２の排出が行われている状態）において、ＣＯ２センサ１４により検出された室内のＣＯ２濃度が目標濃度ｃ１（所定の目標値）に到達した場合には、ＣＯ２の排出が停止されるようにＣＯ２排出装置１２を制御する。制御部１０２は、さらに、目標就寝時刻Ｓｔよりも前の時間帯において、ＣＯ２センサ１４により検出された室内のＣＯ２濃度が上記目標濃度ｃ１よりも高い上限濃度ｃ２（就寝前上限濃度）に到達した場合には、換気が開始されて室内のＣＯ２濃度が低下するように、換気装置１５を制御する。制御部１０２は、さらに、目標就寝時刻Ｓｔよりも前の時間帯において、ＣＯ２センサ１４により検出された室内のＣＯ２濃度が上記目標濃度ｃ１よりも低い下限濃度ｃ３にまで低下した場合には、換気が停止されて室内のＣＯ２濃度が上昇するように、換気装置１５を制御する。このようにして、制御部１０２は、目標就寝時刻Ｓｔとなる前においては、室内のＣＯ２濃度が下限濃度ｃ３〜上限濃度ｃ２の間の値となるように、換気装置１５を制御する。
【００３６】
制御部１０２は、目標就寝時刻Ｓｔとなった後且つ目標起床時刻Ｗｔとなる前（すなわち就寝時）において、ＣＯ２センサ１４により検出された室内のＣＯ２濃度が、下限濃度ｃ３よりも低いＣＯ２濃度であって就寝時の上限値として設定されるＣＯ２濃度である換気濃度ｃ４（就寝時上限濃度）に到達した場合には、換気が開始されて室内のＣＯ２濃度が低下するように、換気装置１５を制御する。制御部１０２は、さらに、就寝時において、ＣＯ２センサ１４により検出された室内のＣＯ２濃度が、就寝時の下限値として設定されるＣＯ２濃度である外気濃度ｃ５にまで低下した場合には、換気が停止されて室内のＣＯ２濃度が上昇するように、換気装置１５を制御する。このようにして、制御部１０２は、就寝時においては、室内のＣＯ２濃度が就寝前よりも低い外気濃度ｃ５〜換気濃度ｃ４の間の値となるように、換気装置１５を制御する。
【００３７】
次に、図４を参照して、ＣＯ２濃度調整装置１が実行する処理を説明する。図４は、本実施形態に係るＣＯ２濃度調整装置１が行う処理を示すシーケンス図である。なお、図４に示される処理が実行される前提として、入力装置１３がユーザから初期設定に関する入力を受付けており、制御装置１０が初期設定に係る情報（使用ユーザの身長Ｈｉ、体重Ｗｉ，年齢、性別、目標就寝時刻Ｓｔ、目標起床時刻Ｗｔ、起動から目標濃度ｃ１に達するまでに要する時間ｎ１、及び室内の広さＬ［ｍ３］等の情報）を記憶しているものとする。
【００３８】
図４に示される処理では、最初に、入力装置１３が、ユーザから、目標就寝時刻Ｓｔ、目標起床時刻Ｗｔ、起動から目標濃度ｃ１に達するまでに要する時間ｎ１、及び対象となるユーザの選択の入力を受付け、これらの情報を制御装置１０に送信している（ステップＳ１）。この場合、制御装置１０は、予め記憶していた情報を、新たに取得した情報に書き換えて記憶する。なお、ステップＳ１の処理が行われない場合においても、制御装置１０は、デフォルトの情報（初期設定に係る情報）を用いてステップＳ２以降の処理を実行することができる。
【００３９】
制御装置１０は、目標就寝時刻Ｓｔよりも時間ｎ１だけ前の時刻に、ＣＯ２貯蓄装置１１に現在のＣＯ２貯蓄量を問い合わせる（貯蓄量の通知を要求する）（ステップＳ２）。ＣＯ２貯蓄装置１１は、制御装置１０からの要求に応じて制御装置１０にＣＯ２貯蓄量を通知する（ステップＳ３）。
【００４０】
制御装置１０は、ＣＯ２貯蓄装置１１から通知されたＣＯ２の貯蓄量が、ＣＯ２の排出が可能な量として設定された閾値よりも大きい（すなわちＣＯ２貯蓄量が十分である）場合には、ＣＯ２排出量算出処理を行った後に、ＣＯ２排出開始要求をＣＯ２排出装置１２に送信する（ステップＳ４）。一方で、ＣＯ２貯蓄量が十分でない場合に、制御装置１０は、その旨を出力モニタ（不図示）等を介してユーザに通知し、ＣＯ２の排出を中止する。
【００４１】
なお、上記のＣＯ２排出量算出処理では、制御装置１０は、記憶されている（予め取得している）各種の情報に基づいてＣＯ２の排出量を決定してもよい。具体的には、制御装置１０は、ユーザの年齢に基づいてＣＯ２の排出量を決定してもよい。また、制御装置１０は、室内に存在するユーザの人数に基づいて呼吸量を計算し、該呼吸量を考慮してＣＯ２の排出量を決定してもよい。また、制御装置１０は、室内に存在するユーザの体型（身長Ｈｉ、体重Ｗｉ）、性別、及び年齢の少なくとも一つに基づいて呼吸量を計算し、該呼吸量を考慮してＣＯ２の排出量を決定してもよい。より具体的には、制御装置１０は、上述した（１）〜（３）式に基づいてＣＯ２の排出量を決定する。
【００４２】
ＣＯ２排出装置１２は、制御装置１０よりＣＯ２排出開始要求を受けると、ＣＯ２貯蓄装置１１に対してＣＯ２排出要求を行う（ステップＳ５）。ＣＯ２貯蓄装置１１は、ＣＯ２排出装置１２に対してＣＯ２の排出を開始する（ステップＳ６）。そして、ＣＯ２排出装置１２は、室内に対してＣＯ２の排出を行う（ステップＳ７）。ＣＯ２排出装置１２は、制御装置１０によって導出された排出量だけ、ＣＯ２を排出する。
【００４３】
その後、ＣＯ２センサ１４は、目標就寝時刻Ｓｔとなる前においてＣＯ２濃度が所定の目標濃度ｃ１（例えば２０００ｐｐｍ）に到達すると、その旨を制御装置１０に通知する（ステップＳ８）。制御装置１０は、ＣＯ２排出停止要求をＣＯ２排出装置１２に送信する（ステップＳ９）。ＣＯ２排出装置１２は、制御装置１０よりＣＯ２排出停止要求を受けると、ＣＯ２貯蓄装置１１に対して排出停止要求を行う（ステップＳ１０）。そして、ＣＯ２貯蓄装置１１は、ＣＯ２の排出停止を行う（ステップＳ１１）。
【００４４】
ここで、密閉空間（室内）におけるＣＯ２濃度は、ＣＯ２排出装置１２によるＣＯ２の排出だけでなく、人の呼吸によっても時間経過と共に上昇する。そのため、目標就寝時刻Ｓｔになるまでの時間帯においては、上がりすぎたＣＯ２濃度を目標濃度ｃ１に近い値にまで下げる処理を行う必要がある。また、当該下げる処理によって過度に下がったＣＯ２濃度を目標濃度ｃ１に近い値にまで上げる処理を行う必要がある。このような観点から、ステップＳ１１の後、目標就寝時刻Ｓｔになるまでの時間帯においては、以下のステップＳ１２〜Ｓ１５の処理が繰り返し実行される。
【００４５】
すなわち、ＣＯ２センサ１４は、目標就寝時刻Ｓｔとなる前において、人の呼吸等の影響によってＣＯ２濃度が所定の上限濃度ｃ２（例えば２５００ｐｐｍ）に到達すると、その旨を制御装置１０に通知する（ステップＳ１２）。制御装置１０は、換気開始要求を換気装置１５に送信する（ステップＳ１３）。換気装置１５は、室内の換気を行うことにより室内のＣＯ２濃度を低下させる。
【００４６】
そして、ＣＯ２センサ１４は、目標就寝時刻Ｓｔとなる前において、室内の換気によってＣＯ２濃度が所定の下限濃度ｃ３（例えば１５００ｐｐｍ）に到達すると、その旨を制御装置１０に通知する（ステップＳ１４）。制御装置１０は、換気停止要求を換気装置１５に送信する（ステップＳ１５）。これにより、換気装置１５の動作が停止する。
【００４７】
そして、ＣＯ２濃度調整装置１は、目標就寝時刻Ｓｔに到達した後は、目標起床時刻Ｗｔに到達するまで、ＣＯ２濃度を外気濃度ｃ５にキープするように動作する。このように動作することによって、睡眠中のＣＯ２濃度を低くすることができ、ユーザに快適な眠りを提供することができる。目標就寝時刻Ｓｔに到達した後、目標起床時刻Ｗｔに到達するまでの時間帯においては、以下のステップＳ１６〜Ｓ１９の処理が繰り返し実行される。
【００４８】
すなわち、ＣＯ２センサ１４は、目標起床時刻Ｗｔに到達するまでの時間帯において、ＣＯ２濃度が所定の換気濃度ｃ４（例えば１０００ｐｐｍ）に到達すると、その旨を制御装置１０に通知する（ステップＳ１６）。制御装置１０は、換気開始要求を換気装置１５に送信する（ステップＳ１７）。換気装置１５は、室内の換気を行うことにより室内のＣＯ２濃度を低下させる。
【００４９】
そして、ＣＯ２センサ１４は、目標起床時刻Ｗｔに到達するまでの時間帯において、室内の換気によってＣＯ２濃度が所定の外気濃度ｃ５（例えば４５０ｐｐｍ）に到達すると、その旨を制御装置１０に通知する（ステップＳ１８）。制御装置１０は、換気停止要求を換気装置１５に送信する（ステップＳ１９）。これにより、換気装置１５の動作が停止する。
【００５０】
次に、本実施形態の作用効果について説明する。
【００５１】
本実施形態に係るＣＯ２濃度調整装置１は、ＣＯ２を貯蓄するＣＯ２貯蓄装置１１と、ＣＯ２貯蓄装置１１に貯蓄されたＣＯ２を、室内に排出するＣＯ２排出装置１２と、ＣＯ２排出装置１２によるＣＯ２の排出を制御する制御装置１０と、を備え、制御装置１０は、予め取得しているユーザの目標就寝時刻Ｓｔの所定時間前に、ＣＯ２貯蓄装置１１に貯蓄されたＣＯ２が排出されるように、ＣＯ２排出装置１２を制御する。
【００５２】
本実施形態に係るＣＯ２濃度調整装置１では、制御装置１０が、目標就寝時刻Ｓｔの所定時間前に、ＣＯ２貯蓄装置１１に貯蓄されたＣＯ２が排出されるようにＣＯ２排出装置１２を制御する。これにより、目標就寝時刻Ｓｔよりも前において室内のＣＯ２濃度を上昇させることができる。ＣＯ２濃度が上昇することによって、ユーザは入眠しやすくなる。以上より、本実施形態に係るＣＯ２濃度調整装置１によれば、ユーザが入眠しやすい環境を提供することができる。
【００５３】
制御装置１０は、予め取得しているユーザの年齢に基づいてＣＯ２の排出量を決定し、決定した排出量でＣＯ２貯蓄装置１１に貯蓄されたＣＯ２が排出されるように、ＣＯ２排出装置１２を制御する。一般的に、年齢に応じて入眠に要する時間は異なっている。上記ＣＯ２濃度調整装置１では、ユーザの年齢に基づいてＣＯ２の排出量が決定され、該排出量となるようにＣＯ２排出装置１２が制御されることによって、どのような年齢のユーザであっても目標就寝時刻Ｓｔに入眠させやすくすることができる。
【００５４】
制御装置１０は、室内に存在するユーザの人数に基づいて呼吸量を計算し、該呼吸量を考慮してＣＯ２の排出量を決定し、決定した排出量でＣＯ２貯蓄装置１１に貯蓄されたＣＯ２が排出されるように、ＣＯ２排出装置１２を制御する。密閉空間においては、ユーザの呼吸によって時間経過に応じてＣＯ２濃度が上昇すると考えられる。そして、呼吸量はユーザの人数に基づいて変化すると考えられる。このような呼吸量を考慮してＣＯ２の排出量が決定されることによって、より正確に適切な排出量を決定してユーザが入眠しやすい環境を提供することができる。
【００５５】
制御装置１０は、室内に存在するユーザの体型、性別、及び年齢の少なくとも一つに基づいて呼吸量を計算し、該呼吸量を考慮してＣＯ２の排出量を決定し、決定した排出量でＣＯ２貯蓄装置１１に貯蓄されたＣＯ２が排出されるように、ＣＯ２排出装置１２を制御する。呼吸量は、ユーザの体型、性別、及び年齢によって変化すると考えられる。このような呼吸量を考慮してＣＯ２の排出量が決定されることによって、より正確に適切な排出量を決定してユーザが入眠しやすい環境を提供することができる。
【００５６】
ＣＯ２濃度調整装置１は、室内のＣＯ２濃度を検出するＣＯ２センサ１４を備え、制御装置１０は、目標就寝時刻Ｓｔよりも前の時間帯において、ＣＯ２センサ１４により検出された室内のＣＯ２濃度が目標濃度ｃ１に到達した場合には、ＣＯ２の排出が停止されるようにＣＯ２排出装置１２を制御する。これにより、目標就寝時刻ＳｔにむけてＣＯ２濃度が過度に上昇することを抑制することができる。
【００５７】
ＣＯ２濃度調整装置１は、室内のＣＯ２濃度を低下させる濃度低下促進装置として換気装置１５を備え、制御装置１０は、目標就寝時刻Ｓｔよりも前の時間帯において、ＣＯ２センサ１４により検出された室内のＣＯ２濃度が目標濃度ｃ１よりも高い上限濃度ｃ２に到達した場合には、室内のＣＯ２濃度が低下するように換気装置１５を制御する。例えばＣＯ２排出装置１２によるＣＯ２の排出を停止した後においても、ユーザの呼吸の影響等によって、ＣＯ２濃度が目標値よりも高い値となることが考えられる。この場合に、換気装置１５によって積極的にＣＯ２濃度の低下が図られることにより、目標就寝時刻ＳｔにむけてＣＯ２濃度が過度に上昇することを抑制することができる。
【００５８】
制御装置１０は、目標就寝時刻Ｓｔよりも後の時間帯において、ＣＯ２センサ１４により検出された室内のＣＯ２濃度が目標濃度ｃ１よりも低い換気濃度ｃ４に到達した場合には、室内のＣＯ２濃度が低下するように換気装置１５を制御する。睡眠中はＣＯ２濃度が低いほうが快適に眠れることが知られている。このため、睡眠中であると想定される時間帯（目標就寝時刻Ｓｔよりも後の時間帯）においては、目標就寝時刻Ｓｔ前の目標濃度ｃ１よりも低い換気濃度ｃ４をＣＯ２濃度の閾値として設定し、ＣＯ２濃度が該換気濃度ｃ４に到達した場合に換気装置１５によって積極的にＣＯ２濃度の低下が図られることにより、ユーザが快適に眠れる環境を提供することができる。また、換気装置１５が用いられることにより、ＣＯ２濃度を高速で下げることができる。
【００５９】
また、ＣＯ２濃度調整装置１は、室内の壁に設置される壁設置型である。壁設置型とすることにより、換気装置１５を濃度低下促進装置として採用しやすい構成とすることができる。
【００６０】
最後に、ＣＯ２濃度調整装置１に含まれた制御装置１０のハードウェア構成について、図９を参照して説明する。上述の制御装置１０は、物理的には、プロセッサ１００１、メモリ１００２、ストレージ１００３、通信装置１００４、入力装置１００５、出力装置１００６、バス１００７などを含むコンピュータ装置として構成されてもよい。
【００６１】
なお、以下の説明では、「装置」という文言は、回路、デバイス、ユニットなどに読み替えることができる。制御装置１０のハードウェア構成は、図に示した各装置を１つ又は複数含むように構成されてもよいし、一部の装置を含まずに構成されてもよい。
【００６２】
制御装置１０における各機能は、プロセッサ１００１、メモリ１００２などのハードウェア上に所定のソフトウェア（プログラム）を読み込ませることで、プロセッサ１００１が演算を行い、通信装置１００４による通信や、メモリ１００２及びストレージ１００３におけるデータの読み出し及び／又は書き込みを制御することで実現される。
【００６３】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）で構成されてもよい。例えば、制御装置１０の制御部１０２等の制御機能はプロセッサ１００１で実現されてもよい。
【００６４】
また、プロセッサ１００１は、プログラム（プログラムコード）、ソフトウェアモジュールやデータを、ストレージ１００３及び／又は通信装置１００４からメモリ１００２に読み出し、これらに従って各種の処理を実行する。プログラムとしては、上述の実施の形態で説明した動作の少なくとも一部をコンピュータに実行させるプログラムが用いられる。例えば、制御装置１０の制御部１０２等の制御機能は、メモリ１００２に格納され、プロセッサ１００１で動作する制御プログラムによって実現されてもよく、他の機能ブロックについても同様に実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されても良い。
【００６５】
メモリ１００２は、コンピュータ読み取り可能な記録媒体であり、例えば、ＲＯＭ（Read  Only  Memory）、ＥＰＲＯＭ（Erasable  Programmable  ＲＯＭ）、ＥＥＰＲＯＭ（ElectricallyErasable Programmable ＲＯＭ）、ＲＡＭ（Random  Access  Memory）などの少なくとも１つで構成されてもよい。メモリ１００２は、レジスタ、キャッシュ、メインメモリ（主記憶装置）などと呼ばれてもよい。メモリ１００２は、本発明の一実施の形態に係る無線通信方法を実施するために実行可能なプログラム（プログラムコード）、ソフトウェアモジュールなどを保存することができる。
【００６６】
ストレージ１００３は、コンピュータ読み取り可能な記録媒体であり、例えば、ＣＤ−ＲＯＭ（Compact  Disc  ＲＯＭ）などの光ディスク、ハードディスクドライブ、フレキシブルディスク、光磁気ディスク(例えば、コンパクトディスク、デジタル多用途ディスク、Ｂｌｕ−ｒａｙ（登録商標）ディスク)、スマートカード、フラッシュメモリ(例えば、カード、スティック、キードライブ)、フロッピー（登録商標）ディスク、磁気ストリップなどの少なくとも１つで構成されてもよい。ストレージ１００３は、補助記憶装置と呼ばれてもよい。上述の記憶媒体は、例えば、メモリ１００２及び／又はストレージ１００３を含むデータベース、サーバその他の適切な媒体であってもよい。
【００６７】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。
【００６８】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、LEDランプなど）である。なお、入力装置１００５及び出力装置１００６は、一体となった構成（例えば、タッチパネル）であってもよい。
【００６９】
また、プロセッサ１００１やメモリ１００２などの各装置は、情報を通信するためのバス１００７で接続される。バス１００７は、単一のバスで構成されてもよいし、装置間で異なるバスで構成されてもよい。
【００７０】
また、制御装置１０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【００７１】
以上、本実施形態について詳細に説明したが、当業者にとっては、本実施形態が本明細書中に説明した実施形態に限定されるものではないということは明らかである。本実施形態は、特許請求の範囲の記載により定まる本発明の趣旨及び範囲を逸脱することなく修正及び変更態様として実施することができる。したがって、本明細書の記載は、例示説明を目的とするものであり、本実施形態に対して何ら制限的な意味を有するものではない。
【００７２】
例えば、実施形態においては、壁設置型のＣＯ２濃度調整装置１を説明したが、図５に示されるＣＯ２濃度調整装置１Ａであってもよい。図５は、第１の変形例に係るＣＯ２濃度調整装置１Ａの基本構成を示す図である。ＣＯ２濃度調整装置１Ａは、室内の壁から独立して設けられる独立型である。図５に示されるように、ＣＯ２濃度調整装置１Ａは、ＣＯ２濃度調整装置１において設けられていた換気装置１５に替えて、ＣＯ２回収装置１５Ａが設けられている。すなわち、ＣＯ２濃度調整装置１Ａは、濃度低下促進装置として、室内のＣＯ２を回収するＣＯ２回収装置１５Ａを有している。
【００７３】
図６を参照して、ＣＯ２濃度調整装置１Ａが行う処理について説明する。図６は、第１の変形例に係るＣＯ２濃度調整装置１Ａが行う処理を示すシーケンス図である。図６に示すステップＳ１０１〜ステップＳ１１１の処理は、上述した実施形態の図４に示すステップＳ１〜ステップＳ１１の処理と同様であるため、説明を省略する。
【００７４】
図６に示されるように、目標就寝時刻Ｓｔになるまでの時間帯においては、ステップＳ１１２〜Ｓ１１８の処理が繰り返し実行される。すなわち、ＣＯ２センサ１４は、目標就寝時刻Ｓｔとなる前において、人の呼吸等の影響によってＣＯ２濃度が所定の上限濃度ｃ２（例えば２５００ｐｐｍ）に到達すると、その旨を制御装置１０に通知する（ステップＳ１１２）。制御装置１０は、ＣＯ２の回収開始要求をＣＯ２回収装置１５Ａに送信する（ステップＳ１１３）。ＣＯ２回収装置１５Ａは、室内からＣＯ２を回収し（ステップＳ１１４，Ｓ１１５）、回収したＣＯ２をＣＯ２貯蓄装置１１に貯蓄する（ステップＳ１１６）。これにより、ＣＯ２回収装置１５Ａは、室内のＣＯ２濃度を低下させる。
【００７５】
そして、ＣＯ２センサ１４は、目標就寝時刻Ｓｔとなる前において、ＣＯ２の回収によってＣＯ２濃度が所定の下限濃度ｃ３（例えば１５００ｐｐｍ）に到達すると、その旨を制御装置１０に通知する（ステップＳ１１７）。制御装置１０は、ＣＯ２の回収停止要求をＣＯ２回収装置１５Ａに送信する（ステップＳ１１８）。これにより、ＣＯ２回収装置１５Ａの動作が停止する。
【００７６】
そして、ＣＯ２センサ１４は、目標起床時刻Ｗｔに到達するまでの時間帯において、ＣＯ２濃度が所定の換気濃度ｃ４（例えば１０００ｐｐｍ）に到達すると、その旨を制御装置１０に通知する（ステップＳ１１９）。制御装置１０は、ＣＯ２の回収開始要求をＣＯ２回収装置１５Ａに送信する（ステップＳ１２０）。ＣＯ２回収装置１５Ａは、室内からＣＯ２を回収し（ステップＳ１２１，Ｓ１２２）、回収したＣＯ２をＣＯ２貯蓄装置１１に貯蓄する（ステップＳ１２３）。これにより、ＣＯ２回収装置１５Ａは、室内のＣＯ２濃度を低下させる。
【００７７】
そして、ＣＯ２センサ１４は、目標起床時刻Ｗｔに到達するまでの時間帯において、ＣＯ２の回収によってＣＯ２濃度が所定の外気濃度ｃ５（例えば４５０ｐｐｍ）に到達すると、その旨を制御装置１０に通知する（ステップＳ１２４）。制御装置１０は、ＣＯ２の回収停止要求をＣＯ２回収装置１５Ａに送信する（ステップＳ１２５）。これにより、ＣＯ２回収装置１５Ａの動作が停止する。
【００７８】
上述したように、ＣＯ２濃度調整装置１Ａは、室内の壁から独立した独立型とされており、設置場所が限定されない構成とされている。また、ＣＯ２濃度調整装置１Ａでは、ＣＯ２回収装置１５Ａが採用されることにより、外気温度の影響を受けずにＣＯ２濃度の低下を図ることができると共に、回収したＣＯ２をそのままＣＯ２貯蓄装置１１に供給することができる。すなわち、ＣＯ２貯蓄装置１１にＣＯ２を貯蓄するための構成として、別途、ボンベやドライアイスを設ける必要がなく、簡易な構成とすることができる。
【００７９】
また、例えば図７に示されるＣＯ２濃度調整装置１Ｂであってもよい。図７は、第２の変形例に係るＣＯ２濃度調整装置１Ｂの基本構成を示す図である。図７に示されるように、ＣＯ２濃度調整装置１Ｂは、ＣＯ２濃度調整装置１の各構成に加えて、バイタルセンサ５０Ｂ（ユーザ状態センサ）と、学習装置６０Ｂとを備えている。
【００８０】
バイタルセンサ５０Ｂは、ユーザの行動・状態を検知するセンサである。具体的には、バイタルセンサ５０Ｂは、例えば、ユーザが寝ている（入眠した）、起きている、室内にいる等のユーザの行動に関する情報、及び、ユーザの健康度等を検知することができる。バイタルセンサ５０Ｂは、直接ユーザの体に取り付けられるバンド型のものであってもよいし、カメラ等を用いたセンシングであってもよい。バイタルセンサ５０Ｂの形状はどのようなものであってもよい。
【００８１】
学習装置６０Ｂは、バイタルセンサ５０Ｂによって検知される入眠時刻及び起床時刻等の情報からユーザの行動を学習する装置である。学習装置６０Ｂは、バイタルセンサ５０Ｂによって検知されたユーザの入眠時刻及び起床時刻を学習することにより目標就寝時刻Ｓｔ及び目標起床時刻Ｗｔを導出し、導出した目標就寝時刻Ｓｔ及び目標起床時刻Ｗｔを制御装置１０に通知する。この場合、目標就寝時刻Ｓｔ及び目標起床時刻Ｗｔは、入力装置１３に入力された時刻（ユーザが入力した情報）ではなく、バイタルセンサ５０Ｂによる実測値に基づく時刻となる。すなわち、第２の変形例に係るＣＯ２濃度調整装置１Ｂでは、入力装置１３における入力に替えて（又は加えて）、自動で目標就寝時刻Ｓｔ及び目標起床時刻Ｗｔが導出される。
【００８２】
図８を参照して、ＣＯ２濃度調整装置１Ｂが行う処理について説明する。図８は、第２の変形例に係るＣＯ２濃度調整装置１Ｂが行う処理を示すシーケンス図である。
【００８３】
図８に示されるように、ＣＯ２濃度調整装置１Ｂでは、最初に、ステップＳ２０１及びステップＳ２０２の処理（学習前処理）が行われる場合と、ステップＳ２０３及びステップＳ２０２の処理（学習後処理）が行われる場合とがある。学習前処理とは、目標就寝時刻Ｓｔ、目標起床時刻Ｗｔ、及び起動から目標濃度ｃ１に達するまでに要する時間ｎ１が学習装置６０Ｂによって学習されていない場合に実行される処理であり、学習後処理とは、目標就寝時刻Ｓｔ、目標起床時刻Ｗｔ、及び時間ｎ１が学習装置６０Ｂによって学習されている場合に実行される処理である。
【００８４】
学習前処理が行われる場合には、入力装置１３が、ユーザから、目標就寝時刻Ｓｔ、目標起床時刻Ｗｔ、及び時間ｎ１の入力を受付け、これらの情報を制御装置１０に送信する（ステップＳ２０１）。また、バイタルセンサ５０Ｂが、室内にユーザが存在するか否かの判定を行い、存在するユーザの情報を制御装置１０に通知する（ステップＳ２０２）。なお、室内にユーザが存在するか否かの判定（及びユーザの特定）は、例えばバイタルセンサ５０Ｂがカメラ型である場合には画像認識により実行され、例えばバイタルセンサ５０Ｂがバンド型である場合にはＢｌｕｅｔｏｏｔｈ（登録商標）、超音波センサ、又は赤外線センサ等によりユーザを検知することにより行われる。
【００８５】
学習後処理が行われる場合には、入力装置１３からの入力に替えて、学習装置６０Ｂが、導出した目標就寝時刻Ｓｔ、目標起床時刻Ｗｔ、及び時間ｎ１を制御装置１０に通知する（ステップＳ２０３）。なお、ステップＳ２０３は、後述するステップＳ２１４、ステップＳ２２０、ステップＳ２２６、及びステップＳ２２７の処理が少なくとも１度実行されている場合に実行される。ただし、ステップＳ２０３において目標就寝時刻Ｓｔ、目標起床時刻Ｗｔ、及び時間ｎ１の一部の情報のみを通知する場合には、対応するステップの処理（例えば目標就寝時刻Ｓｔのみを通知する場合にはステップＳ２２０の処理及びステップＳ２２７の処理）が少なくとも１度実行されていればよい。
【００８６】
ステップＳ２０４〜ステップＳ２１３の処理は、上述した実施形態の図４に示すステップＳ２〜ステップＳ１１の処理と同様であるため、説明を省略する。
【００８７】
制御装置１０は、ステップＳ２１３が完了すると、ステップＳ２１０においてＣＯ２センサ１４から取得した情報に基づき、目標濃度ｃ１に達するまでに要した時間の実測値を学習装置６０Ｂに通知する（ステップＳ２１４）。
【００８８】
ステップＳ２１５〜ステップＳ２１８のループ処理は、上述した実施形態の図４に示すステップＳ１２〜ステップＳ１５のループ処理と同様であるため、説明を省略する。
【００８９】
バイタルセンサ５０Ｂは、ユーザの入眠を検知すると、睡眠確認通知を制御装置１０に通知する（ステップＳ２１９）。なお、上述したステップＳ２１５〜ステップＳ２１８のループ処理の脱出契機は、目標就寝時刻Ｓｔになったことではなく、バイタルセンサ５０Ｂから制御装置１０に睡眠確認通知が通知されたこととしてもよい。バイタルセンサ５０Ｂは、学習装置６０Ｂにユーザの就寝（入眠）時刻を通知する（ステップＳ２２０）。
【００９０】
ステップＳ２２１〜ステップＳ２２４のループ処理は、上述した実施形態の図４に示すステップＳ１６〜ステップＳ１９のループ処理と同様であるため、説明を省略する。
【００９１】
バイタルセンサ５０Ｂは、ユーザの起床を検知すると、起床確認通知を制御装置１０に通知する（ステップＳ２２５）。なお、上述したステップＳ２２１〜ステップＳ２２４のループ処理の脱出契機は、目標起床時刻Ｗｔになったことではなく、バイタルセンサ５０Ｂから制御装置１０に起床確認通知が通知されたこととしてもよい。バイタルセンサ５０Ｂは、学習装置６０Ｂにユーザの起床時刻を通知する（ステップＳ２２６）。
【００９２】
学習装置６０Ｂは、バイタルセンサ５０Ｂによって検知されたユーザの入眠時刻及び起床時刻、並びに、制御装置１０から通知された目標濃度ｃ１に達するまでに要した時間に基づき行動学習を行い、目標就寝時刻Ｓｔ、目標起床時刻Ｗｔ、及び、起動から目標濃度ｃ１に達するまでに要する時間ｎ１を導出する（ステップＳ２２７）。このようにして導出された各種情報は、次回のステップＳ２０３の処理において制御装置１０に通知される。
【００９３】
上述したように、第２の変形例に係るＣＯ２濃度調整装置１Ｂでは、バイタルセンサ５０Ｂによってユーザの入眠時刻が検知され、その情報が学習装置６０Ｂによって学習されることにより、実測値を用いて、ユーザの目標就寝時刻Ｓｔを高精度に導出することができる。
【００９４】
また、ＣＯ２濃度調整装置は、ＣＯ２貯蓄装置１１については必ずしも備えていなくてもよい。すなわち、ＣＯ２濃度調整装置は、例えば、ＣＯ２を常時貯蓄している構成を備えずに、ＣＯ２を排出する際に都度ＣＯ２を生成する構成であってもよい。
【００９５】
本明細書で説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future  Radio  Access）、Ｗ−ＣＤＭＡ（登録商標）、ＧＳＭ（登録商標）、ＣＤＭＡ２０００、ＵＭＢ（Ultra  Mobile  Broad-band）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-Wide  Band）、Ｂｌｕｅｔｏｏｔｈ（登録商標）、その他の適切なシステムを利用するシステム及び／又はこれらに基づいて拡張された次世代システムに適用されてもよい。
【００９６】
本明細書で説明した各態様／実施形態の処理手順、フローチャートなどは、矛盾の無い限り、順序を入れ替えてもよい。例えば、本明細書で説明した方法については、例示的な順序で様々なステップの要素を提示しており、提示した特定の順序に限定されない。
【００９７】
入出力された情報等は特定の場所(例えば、メモリ)に保存されてもよいし、管理テーブルで管理してもよい。入出力される情報等は、上書き、更新、または追記され得る。出力された情報等は削除されてもよい。入力された情報等は他の装置へ送信されてもよい。
【００９８】
判定は、１ビットで表される値（０か１か）によって行われてもよいし、真偽値（Boolean：trueまたはfalse）によって行われてもよいし、数値の比較（例えば、所定の値との比較）によって行われてもよい。
【００９９】
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【０１００】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０１０１】
また、ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【０１０２】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１０３】
なお、本明細書で説明した用語及び／又は本明細書の理解に必要な用語については、同一の又は類似する意味を有する用語と置き換えてもよい。
【０１０４】
また、本明細書で説明した情報、パラメータなどは、絶対値で表されてもよいし、所定の値からの相対値で表されてもよいし、対応する別の情報で表されてもよい。
【０１０５】
ユーザ端末は、当業者によって、移動通信端末、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、またはいくつかの他の適切な用語で呼ばれる場合もある。
【０１０６】
本明細書で使用する「判断(determining)」、「決定(determining)」という用語は、多種多様な動作を包含する場合がある。「判断」、「決定」は、例えば、計算(calculating)、算出(computing)、処理(processing)、導出(deriving)、調査(investigating)、探索(looking up)（例えば、テーブル、データベースまたは別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。
【０１０７】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１０８】
本明細書において、文脈または技術的に明らかに1つのみしか存在しない装置である場合以外は、複数の装置をも含むものとする。
【０１０９】
本開示の全体において、文脈から明らかに単数を示したものではなければ、複数のものを含むものとする。
【符号の説明】
【０１１０】
１，１Ａ，１Ｂ…ＣＯ２濃度調整装置、１０…制御装置、１１…ＣＯ２貯蓄装置、１２…ＣＯ２排出装置、１４…ＣＯ２センサ、１５…換気装置（濃度低下促進装置）、１５Ａ…ＣＯ２回収装置（濃度低下促進装置）、５０Ｂ…バイタルセンサ（ユーザ状態センサ）、６０Ｂ…学習装置。
【図１】
2020159672.tif 000006
【図２】
2020159672.tif 000007
【図３】
2020159672.tif 000008
【図４】
2020159672.tif 000009
【図５】
2020159672.tif 000010
【図６】
2020159672.tif 000011
【図７】
2020159672.tif 000012
【図８】
2020159672.tif 000013
【図９】
2020159672.tif 000014